(57)【要約】【課題】布基礎の立ち上がり部の天面上方に床下換気通路が備えられているものでありながら、冬期に室内が冷やされない床下換気構造を提供する。【解決手段】布基礎立ち上がり部１の天面上方に備えられた床下換気通路９に、布基礎立ち上がり部１を越えて床下空間部５の側に突出する空気誘導ガイド１０が備えられ、屋外４の空気が、この空気誘導ガイド１０に上昇を抑えられながら床下空間部５の側に案内され、この空気誘導ガイド１０を越えて床下空間部５に流れ込むようになされている。そして、空気誘導ガイド１０の床下５側の端部１０ｃは、上ガイド部１０ａが下ガイド部１０ｂよりも床下５側に真っ直ぐ突出することで斜め下方を向いて床下空間部５に開口している。【選択図】      図１
2004176429.tif 000002
【特許請求の範囲】
【請求項１】
布基礎の立ち上がり部の天面上方に屋外と床下空間部とを連通する床下換気通路が備えられ、該床下換気通路に、布基礎立ち上がり部を越えて床下空間部の側に突出する空気誘導ガイドが備えられ、屋外の空気が、この空気誘導ガイドに上昇を抑えられながら床下空間部の側に案内され、この空気誘導ガイドを越えて床下空間部に流れ込むようになされていることを特徴とする床下換気構造。
【請求項２】
前記空気誘導ガイドが上下のガイド部を備えて屋外の空気がこれらガイド部間を通過して床下空間部へと誘導されるようになされており、かつ、該誘導ガイドの床下側の端部は、上ガイド部が下ガイド部よりも床下側に真っ直ぐ突出することで斜め下方を向いて床下空間部に開口している請求項１に記載の床下換気構造。
【発明の詳細な説明】
【０００１】
【発明の属する技術分野】
本発明は床下換気構造に関する。
【０００２】
【従来の技術】
従来より、住宅等の建物において、布基礎の立ち上がり部の天面上方に屋外と床下空間部とを連通する床下換気通路が備えられ、屋外の空気が、この床下換気通路を通じて床下空間部に流れ込むようになされた床下換気構造は従来より提供されている。
【０００３】
例えば、図３に示す床下換気構造では、布基礎立ち上がり部５１の天面と外壁パネル５２のパネルフレーム５２ａとの間に、ピース物からなる鋼製土台５３が布基礎の延びる方向に所定の間隔をおいて介設され、それにより、布基礎立ち上がり部５１の天面上方である、同天面とパネルフレーム５２ａとの間に、屋外５４と床下空間部５５とを連通する床下換気通路５９が形成されている。そして、布基礎立ち上がり部５１の天面の床下空間部寄りに位置して根太掛け５６が設置され、この根太掛け５６に根太５７の端部が掛けられ、根太５７の上に床板５８が設置され、屋外５４の空気が根太掛け５６の上方を回り込み、根太５７間を通じて床下空間部５５に送り込まれるようになされている。
【０００４】
【発明が解決しようとする課題】
しかしながら、上記のような床下換気構造では、特に北海道などの寒冷地において、冬期に、屋外５４から床下空間部５５に吹き込む冷たい空気によって室内６０が冷されてしまうことがあるという問題がある。
【０００５】
これは、床下換気通路５９が布基礎立ち上がり部５１の天面上方に備えられているために、この床下換気通路５９の高さ位置が建物一階の床５８の高さ位置に近くなり、そのため、屋外５４から床下換気通路５９を通過した空気の一部が、屋外に面する壁である外壁パネル５２と床５８との取り合い部分に送り込まれてしまいやすくなることによる。
【０００６】
特に、図３に示すような床下換気構造では、屋外５４からの空気が根太掛け５６の上側に存在する根太５７間を通じて床下空間部５５に流れ込むようになっているため、その部分の気密を行うことも難しく、屋外５４の空気が、屋外に面する壁５２と床５８との取り合い部分に送り込まれやすく、室内６０が冷されてしまいやすい。
【０００７】
本発明は、上記のような問題点に鑑み、布基礎の立ち上がり部の天面上方に床下換気通路が備えられているものでありながら、冬期に室内が冷やされない床下換気構造を提供することを課題とする。
【０００８】
【課題を解決するための手段】
上記の課題は、布基礎の立ち上がり部の天面上方に屋外と床下空間部とを連通する床下換気通路が備えられ、該床下換気通路に、布基礎立ち上がり部を越えて床下空間部の側に突出する空気誘導ガイドが備えられ、屋外の空気が、この空気誘導ガイドに上昇を抑えられながら床下空間部の側に案内され、この空気誘導ガイドを越えて床下空間部に流れ込むようになされていることを特徴とする床下換気構造によって解決される。
【０００９】
この床下換気構造では、床下換気通路に、布基礎立ち上がり部を越えて床下空間部の側に突出する空気誘導ガイドが備えられているから、屋外の空気は、基礎立ち上がり部を越えてはじめて床下空間部に流れ込むため、屋外に面する壁と床との取り合い部分に送り込まれにくく、あるいは、送り込まれず、そのため、布基礎の立ち上がり部の天面上方に床下換気通路が備えられているものでありながら、冬期に室内が冷やされることがない。
【００１０】
上記の床下換気構造において、空気誘導ガイドが上下のガイド部を備えて屋外の空気がこれらガイド部間を通過して床下空間部へと誘導されるようになされており、かつ、該誘導ガイドの床下側の端部は、上ガイド部が下ガイド部よりも床下側に真っ直ぐ突出することで斜め下方を向いて床下空間部に開口しているとよい。
【００１１】
この場合は、誘導ガイドの床下側の端部が斜め下方を向いて開口しているので、屋外の空気は、ガイドを通過したのち、床下空間部内に水平方向ないし斜め下方に向けて流れ込み、そのため、屋外の空気が、屋外に面する壁と床との取り合い部分に送り込まれるのをより一層効果的に防ぐことができる。
【００１２】
しかも、誘導ガイドの床下側の端部を斜め下方を向いて開口させる手段として、上ガイド部を下ガイド部よりも床下側に真っ直ぐ突出させる構造を採用しているので、ガイドに曲がり部を設けて斜め下方に開口させるような場合に比べて、斜め下方を向く開口をコスト的に有利に形成することができる。
【００１３】
加えて、このように上ガイド部が真っ直ぐ突出する構造としていることで、床下空間部への空気の流れをスムーズなものにすることができる。
【００１４】
【発明の実施の形態】
次に、本発明の実施形態を図面に基づいて説明する。
【００１５】
図１及び図２に示す実施形態の床下換気構造において、１は布基礎立ち上がり部であり、その天面と外壁パネル２のパネルフレーム２ａとの間に、ピース物からなる鋼製土台３が布基礎の延びる方向に所定の間隔をおいて介設され、布基礎立ち上がり部１の天面とパネルフレーム２ａとの間に、屋外４と床下空間部５とを連通する床下換気通路９が形成されている。
【００１６】
そして、隣り合うピース土台３，３間において、布基礎立ち上がり部１の天面には、偏平な方形の筒状をした空気誘導ガイド１０が設置されると共に、この空気誘導ガイド１０と外壁パネル２のパネルフレーム２ａとの間に発泡系断熱材１１が装填され、屋外４の空気が、空気誘導ガイド１０の上方を通らず、空気誘導ガイド１０の上ガイド部としての上壁１０ａと下ガイド部としての下壁１０ｂとの間を通じて上昇を抑えられながら床下空間部５に送り込まれるようになされている。
【００１７】
上記の空気誘導ガイド１０は、布基礎立ち上がり部１の天面から該立ち上がり部１を越えて床下空間部５の側に突出しており、その床下空間部側の端部１０ｃは、上ガイド部１０ａが下ガイド部１０ｂよりも床下側に突出するように斜めにカットされ、斜め下方を向いて床下空間部５に開口している。
【００１８】
そして、布基礎立ち上がり部１の天面部の床下寄りに位置して空気誘導ガイド１０の上面に根太掛け６が設置され、この根太掛け６に根太７の端部が掛けられ、根太７の上に床板８が設置され、根太７間において根太掛け６と床板８との間に発泡系断熱材１２が装填されている。
【００１９】
なお、本実施形態では、空気誘導ガイド１０の上に根太掛け６を設置し、その上に根太７が掛けられた構造としているので、空気誘導ガイド１０は、それに力学的に耐えられるよう、内部に補強用の仕切壁を備えさせるようにしてもよい。
【００２０】
上記の床下換気構造では、屋外４の空気は、空気誘導ガイド１０を通じて床下空間部５に送り込まれるようになされて、空気誘導ガイド１０は布基礎立ち上がり部１を越えて床下空間部５の側に突出して備えられているから、屋外４からの空気は、布基礎立ち上がり部１を越えてはじめて床下空間部５に流れ込み、そのため、外壁パネル２と床８との取り合い部分に送り込まれにくく、あるいは、送り込まれず、従って、布基礎立ち上がり部１の天面上方に床下換気通路９が備えられているものでありながら、寒冷地においても冬期に室内１３が冷やされてしまうことはない。
【００２１】
しかも、本実施形態では、空気誘導ガイド１０の上に根太掛け６が設置されているので、屋外４の空気が根太掛け６の上側を回り込むことがなく、そのため、屋外に面する外壁パネル２と床８との取り合い部分に屋外の空気が流れ込むのをより一層確実に防ぐことができる。また、このような構造を採用することで、根太掛け６と床板８との間に発泡断熱材１２を入れても、屋外４の空気を床下空間部５に送り込む妨げとならず、このような発泡断熱材１２を入れることによって、外壁パネル２と床８との取り合い部分への屋外空気の流込みを確実に防ぐことができる。
【００２２】
加えて、空気誘導ガイド１０は、上記のように、布基礎立ち上がり部１の天面から該立ち上がり部１を越えて床下空間部５の側に突出しており、その床下空間部５側の端部は、上ガイド部１０ａが下ガイド部１０ｂよりも床下側に突出するように斜めにカットされ、斜め下方を向いて床下空間部５に開口しているので、屋外４の空気は、ガイド１０を通過したのち、床下空間部５内に水平方向ないし斜め下方に向けて流れ込み、そのため、屋外４の空気が、外壁パネル２と床８との取り合い部分に送り込まれるのをより一層効果的に防ぐことができる。のみならず、そのような流れ込みを実現するのに、上ガイド部１０ａを下ガイド部１０ｂよりも床下５側に突出させる構造を採用して、曲がり部を設けない構造としているので、そのような空気誘導ガイド１０をコスト的に有利に備えさせることができる。
【００２３】
以上に、本発明の実施形態を示したが、本発明はこれに限られるものではなく、発明思想を逸脱しない範囲で各種の変更が可能である。例えば、上記の実施形態では、外壁パネル２と布基礎立ち上がり部１の天面との間にピース物の鋼製土台を介設して形成される床下換気通路９を備えた床下換気構造に適用した場合を示しているが、その他、布基礎立ち上がり部の天面と長物の木製あるいは鋼製の土台との間にパッキンを介設することで形成される床下換気通路、即ちいわゆる基礎パッキン工法による床下換気構造に適用することも可能であるし、要は、布基礎立ち上がり部１の天面上方に床下換気通路９が備えられている各種床下換気構造に広く適用することができるものである。また、上記の実施形態では、空気誘導ガイドとして、偏平方形筒状のガイド１０を用いた場合を示しているが、その形態に制限はなく、要は、布基礎立ち上がり部を越えて床下空間部の側に突出し、屋外の空気の上昇を抑えながら床下空間部の側に案内し、それを越えて床下空間部に流れ込ませるようなものであればよい。また、空気誘導ガイドが上下のガイド部を備える構造の場合に、布基礎立ち上がり部の天面を下ガイド部とするのもよい。
【００２４】
【発明の効果】
本発明の床下換気構造は、以上のとおりのものであるから、布基礎の立ち上がり部の天面上方に床下換気通路が備えられているものでありながら、冬期に室内が冷やされることがない。
【図面の簡単な説明】
【図１】図（イ）は実施形態の床下換気構造を示す断面側面図、図（ロ）はその要部断面側面図である。
【図２】同分解斜視図である。
【図３】従来の床下換気構造の一例を示す断面側面図である。
【符号の説明】
１…布基礎立ち上がり部
４…屋外
５…床下空間部
９…床下換気通路
１０…空気誘導ガイド
１０ａ…上ガイド部
１０ｂ…下ガイド部
１０ｃ…端部開口
【図１】
2004176429.tif 000003
【図２】
2004176429.tif 000004
【図３】
2004176429.tif 000005